(57)【要約】【課題】ビスを部材に対して所定の一定深さの貫通状態に打ち込め、しかも、それを動力工具を用いて作業性良く行っていけ、加えて、ビス頭部と部材との間に介在される部材を護れる、部材へのビスの貫通打込み構造を提供する【解決手段】ビス２の軸部９が、先端側のネジ軸部９ａと、径小軸部９ｂと、境界段部９ｄとを備え、ビス２が、部材としてのプレート部３ａに対し、ネジ軸部９ａがプレート部３ａを越え、径小軸部９ｂがプレート部３ａの孔１０内に空転可能に位置し、境界段部９ｄがプレート部３ａの孔１０よりも手前に位置して該孔１０の周縁部と対向した状態となるように打ち込まれて、ネジ軸部９ａとプレート部３ａとの当接により抜けを阻止され、境界段部９ｄとプレート部３ａとの当接により奥方への進出を阻止されている。  【選択図】      図１
2009103175.tif 000002
【特許請求の範囲】
【請求項１】
ビスが、工具係合部を備えた頭部と、軸部とを備え、
該ビス軸部は、
先端側のネジ軸部と、
該ネジ軸部の基端側に連設されてビス軸部の軸方向中間部に備えられ、径がネジ軸部よりも小さく、長さ寸法が部材の厚さ寸法と同じかそれよりも大きい径小軸部と、
該径小軸部の基端側に連設されて径が径小軸部よりも大きい径大部と前記径小軸部との境界部であってビス軸部の軸方向中間部に備えられた境界段部と、
を備え、
前記ビスが、部材に対し、ネジ軸部が部材を越え、径小軸部が部材の孔内に空転可能に位置し、境界段部が部材の孔よりも手前に位置して該孔の周縁部と対向した状態となるように打ち込まれて、ネジ軸部と部材との当接により抜けを阻止され、境界段部と部材との当接により奥方への進出を阻止されていることを特徴とする、部材へのビスの貫通打込み構造。
【請求項２】
工具係合部を備えた頭部と、軸部とを備え、
該ビス軸部は、
先端側のネジ軸部と、
該ネジ軸部の基端側に連設されてビス軸部の軸方向中間部に備えられ、径がネジ軸部よりも小さく、長さ寸法が部材の厚さ寸法と同じかそれよりも大きい径小軸部と、
該径小軸部の基端側に連設されて径が径小軸部よりも大きい径大部と前記径小軸部との境界部であってビス軸部の軸方向中間部に備えられた境界段部と、
を備え、
部材に対し、ネジ軸部が部材を越え、径小軸部が部材の孔内に空転可能に位置し、境界段部が部材の孔よりも手前に位置して該孔の周縁部と対向した状態となるように打ち込まれることで、ネジ軸部と部材との当接により抜けを阻止され、境界段部と部材との当接により奥方への進出を阻止されるようになされていることを特徴とする、部材へのビスの貫通打込み構造に用いられるビス。
【発明の詳細な説明】
【技術分野】
【０００１】
本発明は、部材へのビスの貫通打込み構造及びビスに関する。
【背景技術】
【０００２】
外壁パネルにおいて、外壁面材の背面部を引掛け状態に保持する引掛け金物を、エアや電動などによる動力工具を用い、ビスで、鋼製のパネルフレームのプレート部に、ポリスチレン下地とグラスウールボードとを介して取り付けるようにすることがある。
【０００３】
例えば、そのような場合に、ビスが普通のビスであると、ビス頭部と引掛け金物が係合し、ポリスチレン下地とグラスウールボードとが、引掛け金物とパネルフレームのプレート部とに挟み込まれて、ポリスチレン下地とグラスウールボードとに沈み込みを生じてしまうことがあり、そのような沈み込みの発生を防ぐ手段として、ビスの打込み深さを目視にて確認しながら、動力工具のトルクを作業者が手元でコントロールして、ビスの打込みを行っていく方法が一般的には採られている。
【特許文献１】特開２００５−３１５０４９号公報
【発明の開示】
【発明が解決しようとする課題】
【０００４】
しかしながら、上記のような方法では、一本のビスを適正に打ち込むのに慎重さが要求され、ビス打ちの作業性が低下してしまうという問題がある。
【０００５】
本発明は、例えば上記のような問題点に鑑み、ビスを部材に対して所定の一定深さの貫通状態に打ち込むことができ、しかも、それを動力工具を用いて作業性良く行っていくことができ、加えて、ビス頭部と部材との間に介在される部材を護ることができる、部材へのビスの貫通打込み構造及びビスを提供することを課題とする。
【課題を解決するための手段】
【０００６】
上記の課題は、ビスが、工具係合部を備えた頭部と、軸部とを備え、
該ビス軸部は、
先端側のネジ軸部と、
該ネジ軸部の基端側に連設されてビス軸部の軸方向中間部に備えられ、径がネジ軸部よりも小さく、長さ寸法が部材の厚さ寸法と同じかそれよりも大きい径小軸部と、
該径小軸部の基端側に連設されて径が径小軸部よりも大きい径大部と前記径小軸部との境界部であってビス軸部の軸方向中間部に備えられた境界段部と、
を備え、
前記ビスが、部材に対し、ネジ軸部が部材を越え、径小軸部が部材の孔内に空転可能に位置し、境界段部が部材の孔よりも手前に位置して該孔の周縁部と対向した状態となるように打ち込まれて、ネジ軸部と部材との当接により抜けを阻止され、境界段部と部材との当接により奥方への進出を阻止されていることを特徴とする、部材へのビスの貫通打込み構造によって解決される（第１発明）。
【０００７】
この構造では、動力工具を用いてビスを部材に打ち込んでいく過程で、ネジ軸部が部材を越え、径小軸部が部材の孔内に位置すると、ビスは、径大部と径小軸部との境界段部が部材の孔の周縁部に当接して、それ以上深くは打ち込まれず、それによって、ビスを部材に対して所定の一定深さの貫通状態に打ち込むことができる。
【０００８】
しかも、ネジ軸部が部材を越え、径小軸部が部材の孔内に位置し、径大部と径小軸部との境界段部が部材の孔の周縁部に当接した状態では、動力工具が駆動状態にあっても、ビスは空転するだけであり、従って、作業者が動力工具のトルクをコントロールしながらビスの打込みを行っていく必要はなく、空転状態になったら動力工具の駆動を停止するという操作を行うだけでよく、ビス打ちを作業性良く行っていくことができる。
【０００９】
加えて、境界段部はビス軸部の軸方向中間部に備えられていて、ビス頭部との間に間隔を保持する構造となっているから、ビス頭部と部材との間の間隔寸法が一定以上に小さくなってしまうのを防ぐことができて、ビス頭部と部材との間に介在される部材を護ることができる。
【００１０】
また、工具係合部を備えた頭部と、軸部とを備え、
該ビス軸部は、
先端側のネジ軸部と、
該ネジ軸部の基端側に連設されてビス軸部の軸方向中間部に備えられ、径がネジ軸部よりも小さく、長さ寸法が部材の厚さ寸法と同じかそれよりも大きい径小軸部と、
該径小軸部の基端側に連設されて径が径小軸部よりも大きい径大部と前記径小軸部との境界部であってビス軸部の軸方向中間部に備えられた境界段部と、
を備え、
部材に対し、ネジ軸部が部材を越え、径小軸部が部材の孔内に空転可能に位置し、境界段部が部材の孔よりも手前に位置して該孔の周縁部と対向した状態となるように打ち込まれることで、ネジ軸部と部材との当接により抜けを阻止され、境界段部と部材との当接により奥方への進出を阻止されるようになされていることを特徴とする、部材へのビスの貫通打込み構造に用いられるビス（第２発明）についても、第１発明と同様の作用効果が奏される。
【発明の効果】
【００１１】
本発明は、以上のとおりのものであるから、ビスを部材に対して所定の一定深さの貫通状態に打ち込むことができ、しかも、それを動力工具を用いて作業性良く行っていくことができ、加えて、ビス頭部と部材との間に介在される部材を護ることができる。
【発明を実施するための最良の形態】
【００１２】
次に、本発明の実施最良形態を図面に基づいて説明する。
【００１３】
図１〜図３に示す実施形態は、図３（イ）（ロ）に示すように、窯業系などの外壁面材４の背面部を引掛け状態にして保持するための引掛け金物１を、ビス２で、鋼製のパネルフレーム３のプレート部３ａに、ポリスチレン下地５とグラスウールボード６とを介して取り付ける場合に適用したものである。
【００１４】
ビス２は、図１（イ）（ロ）に示すように、工具係合部７を備えた頭部８と、軸部９とを備えており、ビス軸部９は、先端側のネジ軸部９ａと、径小軸部９ｂと、径大部としての径大軸部９ｃとを備えている。
【００１５】
径小軸部９ｂは、ネジ軸部９ａの基端側に連設されてビス軸部９の軸方向中間部に備えられ、径ａはネジ軸部９ａの径ｂよりも小さく、長さ寸法ｃはプレート部３ａの厚さ寸法ｄと略同じに設定されている。
【００１６】
径大軸部９ｃは、径小軸部９ｂの基端側に連設されてビス頭部８までを延ばされており、径ｅは径小軸部９ｂの径ａよりも大きく、それによって、径大軸部９ｃと径小軸部９ｂとの境界部に、ビス軸部９の先端側に面する段部９ｄが形成されている。なお、本実施形態では、この境界段部９ｄは、ビス基端方向に向けて開く錐状の斜面部で構成されている。
【００１７】
そして、径大軸部９ｃの長さ寸法ｆ、即ち、境界段部９ｄとビス頭部８との間隔寸法ｆは、引掛け金物１のビス通孔１ａの長さ寸法ｇと、ポリスチレン下地５の厚さ寸法ｈと、グラスウールボード６の厚さ寸法ｉとを考慮に入れて、ビス打ち後の状態において、ポリスチレン下地５やグラスウールボード６に不本意な沈み込みを生じず、しかも、境界段部９ｄとビス頭部８と引掛け金物１とポリスチレン下地５とグラスウールボード６の間に不本意な隙間を生じない程度の寸法に設計されている。
【００１８】
パネルフレーム３への引掛け金物１の取付けは、図１（ロ）に示すように、パネルフレーム３のプレート部３ａにグラスウールボード６とポリスチレン下地５とを重ねた状態にし、グラスウールボード６とポリスチレン下地５を通じて、パネルフレーム３のプレート部３ａに貫通の下孔１０を明けた後、図２（イ）に示すように、ビス２の軸部９を引掛け金物１の通孔１ａに通し、ポリスチレン下地５とグラスウールボード６とを通じてネジ軸部９ａの先端をパネルフレーム３のプレート部３ａの下孔１０に突っ込んだ状態にし、そして、図２（ロ）に示すように、ビス２を、動力工具を駆動して回転させ、打ち込んでいく。
【００１９】
その過程で、図２（ハ）に示すように、ネジ軸部９ａがプレート部３ａを越え、径小軸部９ｂがプレート部３ａの孔１０内に位置すると、ビス２が空転すると共に、境界段部９ｄがプレート部３ａの孔１０の周縁部に当接して、打込み完了となり、ビス２は、図２（ニ）に示すように、ネジ軸部９ａとプレート部３ａとの当接により抜けを阻止され、境界段部９ｄとプレート部３ａとの当接により奥方への進出を阻止され、引掛け金物１は、ポリスチレン下地５とグラスウールボード６とを介してパネルフレーム３のプレート部３ａに取り付けられた状態となる。
【００２０】
上記のビス貫通打込み構造によれば、上記のように、動力工具を用いてビス２をプレート部３ａに打ち込んでいく過程で、ネジ軸部９ａがプレート部３ａを越え、径小軸部９ｂがプレート部３ａの孔１０内に位置すると、ビス２は、境界段部９ｄがプレート部３ａの孔１０の周縁部に当接して、それ以上深くは打ち込まれず、それによって、ビス２をプレート部３ａに対して所定の一定深さの貫通状態に打ち込むことができる。
【００２１】
しかも、ネジ軸部９ａがプレート部３ａを越え、径小軸部９ｂがプレート部３ａの孔１０内に位置し、境界段部９ｄがプレート部３ａの孔１０の周縁部に当接した状態では、動力工具が駆動状態にあっても、ビス２は空転するだけであり、従って、作業者が動力工具のトルクをコントロールしながらビスの打込みを行っていく必要はなく、空転状態になったら動力工具の駆動を停止するという操作を行うだけでよく、ビス打ちを作業性良く行っていくことができる。
【００２２】
加えて、境界段部９ｄはビス軸部９の軸方向中間部に備えられていて、ビス頭部８との間に間隔を保持する構造となっているから、ビス頭部８とプレート部３ａとの間の間隔寸法が一定以上に小さくなってしまうのを防ぐことができて、ポリスチレン下地５やグラスウールボード６に締めすぎによる沈み込みを生じてしまうのを防ぐことができる。
【００２３】
また、上記の実施形態では、径小軸部９ｂの長さ寸法ｃをプレート部３ａの厚さ寸法ｄと略同じにしていることにより、ビス頭部８とプレート部３ａとの間に介在される他の部材の一部又は全部が上記のように弾力性を有するものであっても、貫通打込み状態におけるビス２の押し引き方向のガタツキを小さくすることができる。
【００２４】
以上に、本発明の実施形態を示したが、本発明はこれに限られるものではなく、発明思想を逸脱しない範囲で各種の変更が可能である。例えば、上記の実施形態では、ビス軸部９における境界段部９ｄが、径小軸部９ｂと径大軸部９ｃの境界部に形成される段部からなる場合を示したが、径大軸部に代えて、つば状の径大部を設け、このつば状部と径小軸部との境界部に形成される段部を境界段部とするようにしてもよい。
【００２５】
また、上記の実施形態では、径小軸部９ｂの長さ寸法ｃをプレート部３ａの厚さ寸法ｄと略同じにした場合を示したが、径小軸部９ｂの長さ寸法ｃはプレート部３ａの厚さ寸法ｄよりも大きくてもよく、その場合であっても、ビス２はプレート部３ａとの連結を維持することができて、抜けてしまうことはない。
【００２６】
また、上記の実施形態では、本発明を、外壁パネルにおける引掛け金物１をポリスチレン下地５とグラスウールボード６とを介してパネルフレーム３のプレート部にビス２で取り付ける場合に適用したが、本発明は、これに限らず、各種部材にビスを貫通打込み状態にする場合に広く用いることができるものであり、部材とビス頭部との間に介在される部材についても制限はない。
【００２７】
また、上記の実施形態では、部材としてのパネルフレーム３のプレート部３ａに下孔１０を形成した場合を示したが、下孔１０を設けることなく、プレート部３ａ等の部材にもみ込むことで穿孔して打ち込んだ構造のものであってもよい。
【図面の簡単な説明】
【００２８】
【図１】図（イ）は実施形態のビスを示す正面図、図（ロ）は同ビスを用いたビス貫通打込み構造の一部断面分解正面図である。
【図２】図（イ）〜図（ニ）は、ビス打ちの過程を順次に示す一部断面正面図である。
【図３】図（イ）はパネルフレームの引掛け金物に外壁面材の背面部を引掛け状態にする前の状態を示す断面正面図、図（ロ）は引掛け取付け状態にした後の状態を示す断面正面図である。
【符号の説明】
【００２９】
２…ビス
３…パネルフレーム
３ａ…プレート部（部材）
７…工具係合部
８…ビス頭部
９…ビス軸部
９ａ…ネジ軸部
９ｂ…径小軸部
９ｃ…径大軸部（径大部）
９ｄ…境界段部
１０…孔
【図１】
2009103175.tif 000003
【図２】
2009103175.tif 000004
【図３】
2009103175.tif 000005